(57)【特許請求の範囲】
【請求項１】
複数種の機能のうちから実行する機能の選択指示を受け付けるための選択画面を表示するとともに、前記選択画面において実行する機能が選択されたときに、選択された機能に関する設定指示を受け付けるための設定画面を表示する表示部と、
前記表示部に対して設けられ、ユーザーがタッチしている複数のタッチ位置を検知するためのタッチパネル部と、を備え、
前記表示部は、前記設定画面を表示している最中に前記タッチパネル部の２点がタッチされて以降、タッチされた２点のうち１点以上がタッチされたまま行われるタッチ操作である画面切替操作を前記タッチパネル部が受け付けたとき、前記選択画面に遷移することなく、表示する前記設定画面を現時点の前記設定画面に対応する機能とは別の機能に対応する前記設定画面に切り替え、
前記表示部は、前記タッチパネル部において前記画面切替操作の受け付けが可能になったとき、ユーザーによる前記画面切替操作を補助するための画面切替情報を前記設定画面と共に表示し、
前記表示部は、複数種の機能をそれぞれ示す複数の機能情報を前記画面切替情報として表示するとともに、前記複数の機能情報を現時点の前記設定画面に重ねることにより、現時点の前記設定画面を背景画面として表示し、
前記表示部は、前記画面切替操作を前記タッチパネル部が受け付けたとき、前記複数の機能情報を予め定められた所定表示位置に順番に移動させることにより、前記所定表示位置に配される前記機能情報を順次切り替えるとともに、前記所定表示位置に存在する前記機能情報に対応する前記設定画面を前記背景画面として表示し、
前記表示部は、前記画面切替操作が終了すると、前記複数の機能情報を非表示とし、前記画面切替操作の終了時点で前記背景画面として表示していた前記設定画面をそのまま表示することにより、前記所定表示位置に存在していた前記機能情報に対応する前記設定画面を表示することを特徴とする表示入力装置。
【請求項２】
前記タッチパネル部は、前記表示部が前記設定画面を表示している最中に２点がタッチされて以降、２点がタッチされたままで予め定められた所定時間が経過していれば、前記画面切替操作の受け付けを行う一方、２点がタッチされたままで前記所定時間が経過していなければ、前記画面切替操作の受け付けを行わないことを特徴とする請求項１に記載の表示入力装置。
【請求項３】
前記表示部は、前記タッチパネル部において前記画面切替操作の受け付けが可能になって以降、前記タッチパネル部に対するタッチ操作が無くなれば、前記タッチパネル部に対するタッチ操作が無くなった時点に表示していた前記設定画面をそのまま表示することを特徴とする請求項２に記載の表示入力装置。
【請求項４】
前記表示部は、前記画面切替操作を前記タッチパネル部が受け付けたとき、前記複数の機能情報の表示サイズを順番に拡大することにより、表示サイズが拡大される前記機能情報を順次切り替え、表示サイズが拡大された前記機能情報に対応する前記設定画面を表示することを特徴とする請求項１〜３のいずれかに記載の表示入力装置。
【請求項５】
前記表示部は、前記画面切替操作を前記タッチパネル部が受け付けたとき、前記複数の機能情報に予め定められた追加情報を順番に付加することにより、前記追加情報が付加される前記機能情報を順次切り替え、前記追加情報が付加された前記機能情報に対応する前記設定画面を表示することを特徴とする請求項１〜４のいずれかに記載の表示入力装置。
【請求項６】
前記表示部は、前記画面切替情報を表示するとき、前記画面切替情報の表示領域外の表示領域の明るさを、前記画面切替情報の表示領域の明るさよりも暗くすることを特徴とする請求項１〜５のいずれかに記載の表示入力装置。
【請求項７】
前記タッチパネル部において前記画面切替操作の受け付けが可能になったときに、前記画面切替操作の受け付けが可能になった旨を報知する報知部を備えることを特徴とする請求項１〜６のいずれかに記載の表示入力装置。
【請求項８】
前記報知部は、表示入力装置を振動させる振動発生部であり、
前記振動発生部は、表示入力装置を振動させることで、前記画面切替操作の受け付けが可能になった旨を報知することを特徴とする請求項７に記載の表示入力装置。
【請求項９】
前記表示部は、前記タッチパネル部が受け付けた前記画面切替操作に基づき表示する前記設定画面を切り替えるとき、従前の設定内容をリセットせずに前記設定画面を表示することを特徴とする請求項１〜８のいずれかに記載の表示入力装置。
【請求項１０】
請求項１〜９のいずれかに記載の表示入力装置を備えた画像形成装置。
【発明の詳細な説明】
【技術分野】
【０００１】
本発明は、表示入力装置および画像形成装置に関する。
【背景技術】
【０００２】
従来、設定値の変更が可能な複数種の機能（たとえば、コピー機能、スキャン機能、ファックス機能およびボックス機能など）が搭載された画像形成装置が知られている。このような画像形成装置には、複数種の機能のうち使用する機能の選択指示、および、選択された機能の設定値の変更指示をユーザーから受け付けるための表示入力装置が設けられるのが一般的である（たとえば、特許文献１参照）。
【０００３】
特許文献１の表示入力装置には、複数種の機能にそれぞれ対応する複数の機能選択キーが設けられている。これら複数の機能選択キーのそれぞれは、ハードキーである。そして、表示入力装置は、複数の機能選択キーのうちのいずれかの機能選択キーがユーザーによって押下されると、押下された機能選択キーに対応する機能の設定指示を受け付けるための設定画面を表示する（押下された機能選択キーに対応する機能の実行が可能な状態になる）。
【０００４】
また、従来では、タッチパネル付き表示部に複数の機能選択キー（ソフトキー）を表示することで、複数種の機能のうちから実行する機能の選択指示をユーザーから受け付けるようにした表示入力装置も知られている。このような表示入力装置は、電源が投入されると、初期画面として、複数種の機能にそれぞれ対応する複数の機能選択キーを配した機能選択画面を表示する。これにより、ユーザーは、複数の機能選択キーのうちの所望の機能に対応する機能選択キーの表示位置をタッチすることにより、所望の機能の設定画面を表示入力装置に表示させることができる。
【先行技術文献】
【特許文献】
【０００５】
【特許文献１】特開２０１１−１９９７７３号公報
【発明の概要】
【発明が解決しようとする課題】
【０００６】
機能選択画面を表示して実行する機能の選択指示をユーザーから受け付ける表示入力装置では、通常、表示画面を初期画面（機能選択画面）に戻すための初期画面遷移キーが設けられる。そして、ユーザーは、或る機能の設定画面を表示させている状態で別の機能を実行したいとき、初期画面遷移キーを押下して表示画面を初期画面（機能選択画面）に一旦戻し、その初期画面（機能選択画面）において所望の機能を選択することにより、所望の機能の設定画面を表示させる。しかし、ユーザーからすると、実行する機能（表示する設定画面）の切り替えに際して、表示画面を一々初期画面（機能選択画面）に戻さなければならないのは煩わしく（煩雑な操作が必要となり）、利便性が悪い。
【０００７】
一方で、複数の機能選択キーのそれぞれをハードキーとして予め設けた表示入力装置では、ユーザーからすると、或る機能の設定画面を表示させている状態で別の機能を実行したいとき、所望の機能に対応する機能選択キーを押下するだけで、初期画面に遷移することなく所望の機能の実行が可能な状態になる（所望の機能の設定画面が表示される）ので、それほど煩わしくはない。ただし、この形態の表示入力装置では、複数の機能にそれぞれ対応する複数のハードキー（機能の選択指示を受け付けるための機能選択キー）を設けなければならないので、部品点数を削減するのが困難であるという不都合がある（コストダウンを図るのが難しい）。
【０００８】
本発明は、上記の課題を解決するためになされたものであり、部品点数を削減することができ、かつ、ユーザーによる表示画面の切り替え操作時の利便性を向上させることが可能な表示入力装置および画像形成装置を提供することを目的とする。
【課題を解決するための手段】
【０００９】
上記の目的を達成するために、本発明の表示入力装置は、複数種の機能のうちから実行する機能の選択指示を受け付けるための選択画面を表示するとともに、選択画面において実行する機能が選択されたときに、選択された機能に関する設定指示を受け付けるための設定画面を表示する表示部と、表示部に対して設けられ、ユーザーがタッチしている複数のタッチ位置を検知するためのタッチパネル部と、を備えている。そして、表示部は、設定画面を表示している最中にタッチパネル部の２点がタッチされて以降、タッチされた２点のうち１点以上がタッチされたまま行われるタッチ操作である画面切替操作をタッチパネル部が受け付けたとき、選択画面に遷移することなく、表示する設定画面を現時点の設定画面に対応する機能とは別の機能に対応する設定画面に切り替える。
【００１０】
本発明の構成では、上記のように、表示部は、設定画面を表示している最中にタッチパネル部の２点がタッチされて以降、タッチされた２点のうち１点以上がタッチされたまま行われるタッチ操作である画面切替操作をタッチパネル部が受け付けたとき、選択画面に遷移することなく、表示する設定画面を現時点の設定画面に対応する機能とは別の機能に対応する設定画面に切り替える。これにより、ユーザーからすると、表示する設定画面を切り替えたい（現時点の設定画面に対応する機能とは別の機能を実行したい）とき、表示画面を一々選択画面に戻さなくてもよいので、煩わしさが軽減される。また、タッチパネル部の２点をタッチし、タッチした２点のうち１点以上をタッチしたままタッチ操作を行うだけで表示する設定画面を切り替えることができるので、表示する設定画面を切り替えるまでの操作数が少なく、ユーザーにかかる負担は小さい。なお、表示部は、タッチパネル部の２点がタッチされて以降、タッチされた２点のうち１点以上がタッチされたままタッチ操作が行われなければ、表示する設定画面を切り替えない。したがって、現時点の設定画面のまま設定指示を行いたいユーザは、タッチパネル部に対して通常のタッチ操作（たとえば、タッチパネル部の１点をタップする操作）を行えばよく、特別なタッチ操作を行う必要はない。これらの結果、ユーザーによる表示画面の切り替え操作時の利便性が向上する。
【００１１】
さらに、複数種の機能にそれぞれ対応する複数のハードキー（機能の選択指示を受け付けるための機能選択キー）を設ける必要がなくなるので、部品点数を削減することができる（コストダウンを図ることができる）。
【００１２】
上記の構成において、好ましくは、タッチパネル部は、表示部が設定画面を表示している最中に２点がタッチされて以降、２点がタッチされたままで予め定められた所定時間が経過していれば、画面切替操作の受け付けを行う一方、２点がタッチされたままで所定時間が経過していなければ、画面切替操作の受け付けを行わない。これにより、ユーザーからすると、タッチパネル部に対して簡単なタッチ操作（タッチパネル部の２点をタッチし続ける操作）を行うだけで、表示する設定画面の切り替えが可能な状態になるので、利便性が良い。また、ユーザーからすると、タッチパネル部の２点を誤ってタッチしてしまったとしても、直ぐに（所定時間が経過する前に）タッチパネル部から指を離せば、表示する設定画面が意図せず切り替わってしまうことがないので、利便性が良い。さらに、タッチパネル部の２点がタッチされて以降、直ぐに（所定時間が経過する前に）タッチパネル部に対するタッチ操作が無くなったことをトリガーとする別の処理（画面切替処理とは異なる処理）との差別化を容易に図ることができる。
【００１３】
上記の構成において、好ましくは、表示部は、タッチパネル部において画面切替操作の受け付けが可能になって以降、タッチパネル部に対するタッチ操作が無くなれば、タッチパネル部に対するタッチ操作が無くなった時点に表示していた設定画面をそのまま表示する。これにより、ユーザーからすると、表示する設定画面を確定したいとき、タッチパネル部から全ての指を離すだけでよいので、利便性が良い。
【００１４】
上記の構成において、好ましくは、表示部は、タッチパネル部において画面切替操作の受け付けが可能になったとき、ユーザーによる画面切替操作を補助するための画面切替情報を設定画面と共に表示する。これにより、容易に、ユーザーの利便性を向上させることができる。また、このような画面切替情報を表示部が表示するようになっていると、画面切替操作の受け付けが可能になったことをユーザーに認識させることもできる。
【００１５】
この構成において、表示部は、複数種の機能をそれぞれ示す複数の機能情報を画面切替情報として表示し、画面切替操作をタッチパネル部が受け付けたとき、複数の機能情報を予め定められた所定表示位置に順番に移動させることにより、所定表示位置に配される機能情報を順次切り替え、所定表示位置に存在する機能情報に対応する設定画面を表示してもよい。
【００１６】
また、表示部は、複数種の機能をそれぞれ示す複数の機能情報を画面切替情報として表示し、画面切替操作をタッチパネル部が受け付けたとき、複数の機能情報の表示サイズを順番に拡大することにより、表示サイズが拡大される機能情報を順次切り替え、表示サイズが拡大された機能情報に対応する設定画面を表示してもよい。
【００１７】
さらに、表示部は、複数種の機能をそれぞれ示す複数の機能情報を画面切替情報として表示し、画面切替操作をタッチパネル部が受け付けたとき、複数の機能情報に予め定められた追加情報を順番に付加することにより、追加情報が付加される機能情報を順次切り替え、追加情報が付加された機能情報に対応する設定画面を表示してもよい。
【００１８】
上記のような画面切替情報（複数の機能情報）が表示されていると、ユーザーによる設定画面の切り替え操作の利便性が向上する。
【００１９】
また、好ましくは、表示部は、画面切替情報を表示するとき、画面切替情報の表示領域外の表示領域の明るさを、画面切替情報の表示領域の明るさよりも暗くする。これにより、画面切替情報が見易くなる。また、画面切替操作の受け付けが可能になったことをユーザーに認識させることもできる。
【００２０】
上記の構成において、タッチパネル部において画面切替操作の受け付けが可能になったときに、画面切替操作の受け付けが可能になった旨を報知する報知部を備えることが好ましい。これにより、確実に、タッチパネル部において画面切替操作の受け付けが可能になったことをユーザーに認識させることができる。
【００２１】
この場合、報知部は、表示入力装置を振動させる振動発生部であり、振動発生部は、表示入力装置を振動させることで、画面切替操作の受け付けが可能になった旨を報知する。このように表示入力装置を振動させると、画面切替操作の受け付けが可能になったことをユーザーが認識し易い。
【００２２】
上記の構成において、好ましくは、表示部は、タッチパネル部が受け付けた画面切替操作に基づき表示する設定画面を切り替えるとき、従前の設定内容をリセットせずに設定画面を表示する。これにより、ユーザーからすると、従前に設定した設定内容と同じ設定内容で機能を実行したいとき、一から設定し直さなくてもよいので、利便性が良い。
【００２３】
本発明の画像形成装置は、上記の表示入力装置を備えている。このような画像形成装置では、ユーザーによる表示画面の切り替え操作時の利便性が向上する。また、部品点数を削減する（コストダウンを図る）こともできる。
【発明の効果】
【００２４】
以上のように、本発明によれば、部品点数を削減することができ、かつ、ユーザーによる表示画面の切り替え操作時の利便性を向上させることが可能な表示入力装置および画像形成装置を得ることができる。
【図面の簡単な説明】
【００２５】
【図１】本発明の一実施形態による表示入力装置を備えた画像形成装置の概略図
【図２】図１に示した画像形成装置の表示入力装置の詳細図
【図３】図１に示した画像形成装置のハードウェア構成を示したブロック図
【図４】図１に示した画像形成装置の表示入力装置に表示される画面（メインメニュー画面）の一例を示した図
【図５】図１に示した画像形成装置の表示入力装置に表示される画面（コピー機能の設定画面）の一例を示した図
【図６】図１に示した画像形成装置の表示入力装置に表示される画面（ファックス機能の設定画面）の一例を示した図
【図７】図１に示した画像形成装置の表示入力装置において表示する設定画面を切り替えるときのタッチ操作およびそのときに表示される画面を説明するための図
【図８】図１に示した画像形成装置の表示入力装置において表示する設定画面を切り替えるときのタッチ操作およびそのときに表示される画面を説明するための図
【図９】図１に示した画像形成装置の表示入力装置において表示する設定画面を切り替えるときのタッチ操作およびそのときに表示される画面を説明するための図
【図１０】図１に示した画像形成装置の表示入力装置において表示する設定画面を切り替えるときのタッチ操作およびそのときに表示される画面を説明するための図
【図１１】図１に示した画像形成装置の表示入力装置において表示する設定画面を切り替えるときのタッチ操作およびそのときに表示される画面を説明するための図
【図１２】図１に示した画像形成装置の表示入力装置において表示する設定画面を切り替えるときのタッチ操作およびそのときに表示される画面を説明するための図
【図１３】図１に示した画像形成装置の表示入力装置において表示する設定画面を切り替えるときのタッチ操作およびそのときに表示される画面を説明するための図
【図１４】図１に示した画像形成装置の表示入力装置において表示する設定画面を切り替えるときのタッチ操作およびそのときに表示される画面を説明するための図
【図１５】図１に示した画像形成装置の表示入力装置において表示する設定画面を切り替えるときの動作を説明するためのフローチャート
【発明を実施するための形態】
【００２６】
（画像形成装置の全体構成）
以下、コピー機能、送信（スキャン）機能、ファックス機能およびボックス機能などの複数種の機能の実行が可能な画像形成装置（複合機）を例にとって説明する。
【００２７】
図１に示すように、本実施形態の画像形成装置１００は、操作パネル１０１（「表示入力装置」に相当）、原稿搬送部１０２Ａ、画像読取部１０２Ｂ、給紙部１０３、用紙搬送部１０４、画像形成部１０５、定着部１０６および後処理部１０７などを備える。
【００２８】
操作パネル１０１は、たとえば、装置正面側に配置される。操作パネル１０１は、図２に示すように、表示面上にタッチパネル部１１が設けられた液晶表示部１２（「表示部」に相当）を有する。タッチパネル部１１は、ユーザーがタッチした複数のタッチ位置を同時に検知可能なマルチタッチパネルである。液晶表示部１２は、ユーザーから入力操作（タッチ操作）を受け付けるためのソフトキーやメッセージなどを配した画面を表示する。なお、液晶表示部１２に表示される画面については、後に詳細に説明する。そして、液晶表示部１２の表示面を覆うタッチパネル部１１は、ユーザーが指定したソフトキー（タッチパネル部１１を介してユーザーがタッチしたソフトキー）を検知するために設けられている。また、操作パネル１０１には、ハードキーとして、数値入力を受け付けるためのテンキー１３や、機能実行の開始指示を受け付けるためのスタートキー１４などが設けられている。
【００２９】
図１に戻って、原稿搬送部１０２Ａは、画像読取部１０２Ｂの装置背面側に設けられた回転軸（図示せず）を支点として開閉可能に取り付けられている。この原稿搬送部１０２Ａは、原稿セットトレイ２１にセットされた原稿Ｄを引き出し、搬送読取用コンタクトガラス２０ａの上方に送って原稿排出トレイ２２に排出する。また、原稿搬送部１０２Ａは、載置読取用コンタクトガラス２０ｂに載置された原稿Ｄを押える機能も有する。
【００３０】
画像読取部１０２Ｂは、原稿Ｄを読み取って画像データを生成する。この画像読取部１０２Ｂには、図示しないが、露光ランプ、ミラー、レンズおよびイメージセンサーなどの光学系部材が設けられている。そして、画像読取部１０２Ｂは、搬送読取用コンタクトガラス２０ａを通過する原稿Ｄまたは載置読取用コンタクトガラス２０ｂに載置される原稿Ｄに光を照射し、その原稿Ｄからの反射光を受けたイメージセンサーの出力値をＡ／Ｄ変換することによって、画像データを生成する。これにより、画像読取部１０２Ｂによる原稿Ｄの読み取り動作（スキャン動作）によって得られた画像データに基づき印刷を行うことができる。また、スキャン動作によって得られた画像データを蓄積することもできる。
【００３１】
給紙部１０３は、用紙Ｐを収容するカセット３１を複数有し、それら複数のカセット３１に収容された用紙Ｐを用紙搬送部１０４に供給する。この給紙部１０３には、収容された用紙Ｐを引き出すピックアップローラー３２や、用紙Ｐの重送を抑制するための分離ローラー対３３が設けられている。
【００３２】
用紙搬送部１０４は、画像形成装置１００の内部において用紙Ｐを搬送する。具体的に言うと、給紙部１０３から供給された用紙Ｐは、用紙搬送部１０４が搬送することによって、画像形成部１０５および定着部１０６をこの順番で通過する。この用紙搬送部１０４には、用紙Ｐを搬送するための複数の搬送ローラー対４１が設けられている。さらに、用紙Ｐを画像形成部１０５の手前で待機させ、タイミングを合わせて画像形成部１０５に送り出すレジストローラー対４２も設けられている。
【００３３】
画像形成部１０５は、画像データに基づきトナー像を形成し、そのトナー像を用紙Ｐに転写する。画像形成部１０５は、感光体ドラム５１、帯電装置５２、露光装置５３、現像装置５４、転写ローラー５５およびクリーニング装置５６などを含んでいる。
【００３４】
トナー像の形成プロセスおよびトナー像の転写プロセスとしては、まず、感光体ドラム５１を回転駆動させ、その感光体ドラム５１の表面を帯電装置５２で所定電位に帯電させる。また、露光装置５３は、画像データに基づき光ビームＬを出力し、感光体ドラム５１の表面を走査露光する。これにより、感光体ドラム５１の表面に静電潜像を形成する。現像装置５４は、感光体ドラム５１の表面に形成された静電潜像にトナーを供給して現像する。
【００３５】
転写ローラー５５は、感光体ドラム５１の表面に圧接して回転可能となっている。さらに、転写ローラー５５には所定の電圧が印加されている。この状態で、レジストローラー対４２がタイミングを計り、転写ローラー５５と感光体ドラム５１との間に用紙Ｐを進入させる。これによって、感光体ドラム５１の表面のトナー像が用紙Ｐに転写される。そして、トナー像の転写プロセスが終わると、クリーニング装置５６は、感光体ドラム５１の表面に残留するトナーなどを除去する。
【００３６】
定着部１０６は、用紙Ｐに転写されたトナー像を加熱・加圧して定着させる。この定着部１０６は、発熱源を内蔵する定着ローラー６１と、定着ローラー６１に圧接される加圧ローラー６２とを含んでいる。そして、トナー像が転写された用紙Ｐは、定着ローラー６１と加圧ローラー６２との間を通過することで、加熱・加圧される。これにより、用紙Ｐにトナー像が定着され、印刷が完了する。
【００３７】
後処理部１０７は、定着部１０６から印刷済みの用紙Ｐを受け取り、仕分け処理、ステープル処理およびパンチ処理などの後処理を行う。そして、後処理部１０７は、印刷済みの用紙Ｐに対して後処理を施した後、用紙Ｐを排出トレイ７１に排出する。
【００３８】
（画像形成装置のハードウェア構成）
画像形成装置１００は、図３に示すように、主制御部１１０を備える。主制御部１１０は、中央演算処理装置であるＣＰＵ１１１、画像処理部１１２および記憶部１１３などを含む。画像処理部１１２は、画像処理専用のＡＳＩＣやメモリーなどからなっており、画像データに対して各種画像処理（拡大／縮小、濃度変換およびデータ形式変換など）を施す。記憶部１１３は、ＲＯＭ、ＲＡＭおよびＨＤＤなどからなり、たとえば、機能の実行に必要なプログラムおよびデータがＲＯＭに記憶され、それらプログラムおよびデータがＲＡＭに展開される。
【００３９】
主制御部１１０は、原稿搬送部１０２Ａ、画像読取部１０２Ｂ、給紙部１０３、用紙搬送部１０４、画像形成部１０５、定着部１０６および後処理部１０７などと接続される。そして、主制御部１１０は、記憶部１１３に記憶されたプログラムおよびデータに基づき、全体制御、画像処理制御、および、各種回転体を回転させるモーターの駆動制御などを行う。
【００４０】
主制御部１１０には、操作パネル１０１も接続される。操作パネル１０１は、主制御部１１０と接続される表示制御部１５を含む。この表示制御部１５は、ＣＰＵなどからなり、主制御部１１０から指示を受け、操作パネル１０１の表示動作を制御する。たとえば、表示制御部１５は、液晶表示部１２に表示されたソフトキーがタッチパネル部１１を介してユーザーによってタッチされると、タッチパネル部１１の出力に基づきタッチ位置の座標を検知する。すなわち、表示制御部１５は、ユーザーがタッチパネル部１１を介してタッチしたソフトキー（ユーザーが指定したソフトキー）を検知する。この表示制御部１５には、記憶部１６が接続される。そして、タッチパネル部１１の出力とタッチ位置の座標との対応を示すデータは、記憶部１６に記憶される。
【００４１】
さらに、操作パネル１０１は、振動発生部１７を含む。振動発生部１７は、たとえば、振動モーター（モーター軸に分銅が偏って取り付けられたモーター）からなっている。これにより、振動発生部１７は、駆動することで振動する。そして、表示制御部１５は、振動発生部１７の駆動を制御し、操作パネル１０１を振動させる。
【００４２】
また、主制御部１１０は、通信部１２０と接続される。通信部１２０は、たとえば、外部のコンピューター２００とネットワークを介して通信可能に接続される。これにより、コンピューター２００から送信された画像データに基づき印刷を行うことができ、スキャン動作によって得られた画像データをコンピューター２００に送信することもできる。また、通信部１２０にモデムなどを内蔵してもよく、この場合、電話回線などのネットワークを介して、外部のファックス装置３００とファックス通信を行うことができる。
【００４３】
（操作パネルの表示画面）
【００４４】
操作パネル１０１は、主電源が投入されると、図４に示すようなメインメニュー画面ＭＳ（「選択画面」に相当）を初期画面として表示する。メインメニュー画面ＭＳには、複数種の機能のうちから実行する機能の選択指示をユーザーから受け付けるため、数種の機能にそれぞれ対応する複数のソフトキーＫが配される。
【００４５】
このメインメニュー画面ＭＳにおいて実行する機能がユーザーによって選択された（複数のソフトキーＫのうちのいずれかのソフトキーＫの表示位置がタッチパネル部１１を介してユーザーによってタッチされた）とき、操作パネル１０１は、選択された機能に関する設定指示を受け付けるための設定画面ＳＳ（たとえば、図５および図６参照）を表示する。
【００４６】
たとえば、ソフトキーＫ１の表示位置がタッチパネル部１１を介してユーザーによってタッチされると、操作パネル１０１は、コピー機能の設定画面ＳＳＣ（図５参照）を表示する。コピー機能の設定画面ＳＳＣには、コピー機能の実行に際して設定値の変更が可能な複数の設定項目にそれぞれ対応する複数の設定キーＦＫが配される。図５には、一例として、用紙選択、縮小／拡大、濃度、両面／分割およびページ集約の各設定項目にそれぞれ対応する複数の設定キーＦＫが配された設定画面ＳＳＣを図示している。複数の設定キーＦＫのそれぞれには、対応する設定項目の現時点の設定値が表記される。そして、操作パネル１０１は、複数の設定キーＦＫのうちのいずれかの設定キーＦＫがタッチパネル部１１を介してユーザーによってタッチされると、たとえば、指定された設定キーＦＫに対応する設定項目の設定値を設定するための画面（図示せず）を表示する。これにより、ユーザーは、コピー機能に関する複数の設定項目のそれぞれの現時点の設定値を認識することができ、かつ、それら各設定値を変更することもできる。
【００４７】
また、ソフトキーＫ２の表示位置がタッチパネル部１１を介してユーザーによってタッチされると、操作パネル１０１は、送信（スキャン）機能の設定値の設定指示を受け付けるための設定画面（図示せず）を表示する。また、ソフトキーＫ３の表示位置がタッチパネル部１１を介してユーザーによってタッチされると、操作パネル１０１は、ファックス機能の設定値の設定指示を受け付けるための設定画面ＳＳＦ（図６参照）を表示する。なお、ファックス機能においては、たとえば、ファックス送信先のアドレスや送信形式なども設定値に相当する。
【００４８】
また、ソフトキーＫ４の表示位置がタッチパネル部１１を介してユーザーによってタッチされると、操作パネル１０１は、ユーザーボックスに格納されたデータ（たとえば、スキャン動作によって得られた画像データ）に基づく印刷を実行する上で必要な設定を受け付けるための設定画面（図示せず）を表示する。また、ソフトキーＫ５の表示位置がタッチパネル部１１を介してユーザーによってタッチされると、操作パネル１０１は、ジョブボックスに格納されたデータ（たとえば、コンピューター２００から送信された画像データ）に基づく印刷を実行する上で必要な設定を受け付けるための設定画面（図示せず）を表示する。また、ソフトキーＫ６の表示位置がタッチパネル部１１を介してユーザーによってタッチされると、操作パネル１０１は、ファックス受信ボックスに格納されたデータ（通信部１２０が受信したファックスデータ）に基づく印刷を実行する上で必要な設定を受け付けるための設定画面（図示せず）を表示する。また、ソフトキーＫ７の表示位置がタッチパネル部１１を介してユーザーによってタッチされると、操作パネル１０１は、外部メモリー（ＵＳＢ）に格納されたデータに基づく印刷を実行する上で必要な設定を受け付けるための設定画面（図示せず）を表示する。
【００４９】
なお、ソフトキーＫ８はプログラム機能に対応するソフトキーＫであり、ソフトキーＫ８の表示位置がタッチパネル部１１を介してユーザーによってタッチされると、液晶表示部１２は、登録されたプログラムのうちから呼び出すプログラムの選択指示をユーザーから受け付けるためのプログラム選択画面（図示せず）を表示する。ところで、プログラム機能というのは、コピー機能や送信（スキャン）機能などに関する複数の設定項目のうち、ユーザーによって予め選択された１つ以上の設定項目（設定値）をプログラムとして登録しておく機能である。
【００５０】
（表示する設定画面の切り替え）
操作パネル１０１には、ハードキーとしてのメインメニューキーＭＫ（図２および図３参照）が設けられている。このメインメニューキーＭＫは、表示画面をメインメニュー画面ＭＳに戻すためのキーである。このため、ユーザーは、或る機能の設定画面ＳＳを表示させている最中に別の機能を実行したいとき、メインメニューキーＭＫを押下してメインメニュー画面ＭＳを表示させ、そのメインメニュー画面ＭＳにおいて所望の機能を選択する（複数のソフトキーＫのうちの所望の機能に対応するソフトキーＫの表示位置をタッチパネル部１１を介してタッチする）。これによって、表示画面を所望の機能の設定画面ＳＳに切り替えることができる。
【００５１】
しかし、ユーザーからすると、表示する設定画面ＳＳを切り替えるのに際して、表示画面を一々メインメニュー画面ＭＳに戻さなければならないのは煩わしい。また、通常では、メインメニュー画面ＭＰに一旦戻ってしまうと、従前の設定画面ＳＳで設定した設定値がリセットされてしまう。このため、従前の設定画面ＳＳの設定値と同じ設定値に基づき機能を実行したいときには、一から設定し直さなければならず、この点もユーザーにとっては煩わしい。
【００５２】
そこで、本実施形態では、メインメニュー画面ＭＳに遷移することなく、表示する設定画面ＳＳを現時点の設定画面ＳＳとは別の設定画面ＳＳに切り替えることができるようになっている。
【００５３】
具体的には、表示する設定画面ＳＳを切り替えたいユーザーは、まず、図７に示すように、設定画面ＳＳ（たとえば、コピー機能の設定画面ＳＳＣ）が表示されている状態で、タッチパネル部１１の２点をタッチし、タッチした２点から指を離さずにそのまま保持する。なお、タッチする２点の位置としては、タッチパネル部１１のどの位置であってもよい。
【００５４】
タッチパネル部１１の２点がタッチされると、表示制御部１５は、タッチパネル部１１の出力に基づきタッチパネル部１１の２点がタッチされたことを検知し、その検知時点からの時間を計測する。そして、表示制御部１５は、タッチパネル部１１の２点がタッチされたまま予め定められた所定時間が経過した時点から、タッチパネル部１１に対する画面切替操作に基づき、表示する設定画面ＳＳの切り替えを液晶表示部１２に行わせる（画面切替モードに移行させる）。言い換えると、タッチパネル部１１は、液晶表示部１２が設定画面ＳＳを表示している最中に２点がタッチされて以降、２点がタッチされたままで所定時間が経過していれば、画面切替操作の受け付けを行う一方、２点がタッチされたままで所定時間が経過していなければ、画面切替操作の受け付けを行わない。なお、画面切替操作とは、タッチパネル部１１に対してタッチした２点のうち１点以上をタッチしたまま行うタッチ操作のことである。この画面切替操作については、後に詳細に説明する。
【００５５】
タッチパネル部１１において画面切替操作の受け付けが可能になったとき（画面切替モードに移行したとき）、表示制御部１５は、図８に示すように、ユーザーによる画面切替操作を補助するための画面切替情報画像ＳＣ（「画面切替情報」に相当）を設定画面ＳＳと共に液晶表示部１２に表示させる。たとえば、液晶表示部１２は、画面切替情報画像ＳＣを現時点の設定画面ＳＳに重ね、現時点の設定画面ＳＳを背景画面として表示する。そして、表示制御部１５は、振動発生部１７を駆動させ、操作パネル１０１を振動させる。すなわち、振動発生部１７は、操作パネル１０１を振動させることによって、画面切替操作の受け付けが可能になったこと（画面切替モードに移行したこと）をユーザーに報知する。
【００５６】
なお、操作パネル１０１に音発生部（図示せず）を設け、その音発生部から発生させた音によって、画面切替操作の受け付けが可能になったことをユーザー報知してもよい。この場合には、音発生部が「報知部」に相当する。あるいは、操作パネル１０１にＬＥＤなどの発光部（図示せず）を設け、その発光部を発光させることによって、画面切替操作の受け付けが可能になったことをユーザー報知してもよい。この場合には、発光部が「報知部」に相当する。
【００５７】
ここで、液晶表示部１２は、画面切替情報画像ＳＣとして、複数種の機能をそれぞれ示す複数の機能情報画像Ｆ（「機能情報」に相当）を楕円環状の軌跡に沿って表示する。これら複数の機能情報画像Ｆのそれぞれはアイコンであり、対応する機能を図柄で示している。なお、機能情報画像Ｆ１は、コピー機能を示す。機能情報画像Ｆ２は、送信（スキャン）機能を示す。機能情報画像Ｆ３は、ファックス機能を示す。機能情報画像Ｆ４は、ユーザーボックス機能を示す。機能情報画像Ｆ５は、ジョブボックス機能を示す。機能情報画像Ｆ６は、ファックス受信ボックス機能を示す。機能情報画像Ｆ７は、ダイレクト印刷機能を示す。
【００５８】
液晶表示部１２は、画面切替情報画像ＳＣ（複数の機能情報画像Ｆ）を現時点の設定画面ＳＳに重ねて表示するとき、現時点の設定画面ＳＳに対応する機能情報画像Ｆを予め定められた所定表示位置Ｐに配する。また、液晶表示部１２は、現時点の設定画面ＳＳに対応する機能情報画像Ｆ（所定表示位置Ｐに配された機能情報画像Ｆ）の表示サイズを他の機能情報画像Ｆの表示サイズよりも拡大するとともに、現時点の設定画面ＳＳに対応する機能情報画像Ｆ（所定表示位置Ｐに配された機能情報画像Ｆ）に追加情報画像Ａ（たとえば、枠を表す画像など）を付加する。さらに、液晶表示部１２は、画面切替情報画像ＳＣ（複数の機能情報画像Ｆ）の表示領域外の表示領域の明るさを、画面切替情報画像ＳＣの表示領域の明るさよりも暗くする。
【００５９】
これにより、ユーザーは、表示する設定画面ＳＳの切り替えが可能になったことを認識し、画面切替操作を行う（タッチパネル部１１に対してタッチした２点のうち１点以上をタッチしたままタッチ操作を行う）。
【００６０】
一例として、図９に示すように、表示制御部１５は、タッチパネル部１１の２点がタッチされて以降、２点がタッチされたままそれら２点のうち１点のタッチ位置を移動させるタッチ操作を検知した場合に、タッチパネル部１１において画面切替操作が行われたと判断する。あるいは、図示しないが、表示制御部１５は、タッチパネル部１１の２点がタッチされて以降、２点がタッチされたままそれら２点のタッチ位置の両方を移動させるタッチ操作を検知した場合にも、タッチパネル部１１において画面切替操作が行われたと判断する。たとえば、図９中の矢印方向に沿って１点のタッチ位置が円弧を描くように移動したとき、表示制御部１５はタッチパネル部１１において画面切替操作が行われたと判断する。なお、図９において、白抜きの矢印は、タッチ位置の移動方向を示し、白抜きの丸印は、固定的にタッチされ続けられているタッチ位置を示す。
【００６１】
ここで、タッチ位置の移動方向は特に限定されない。すなわち、画面横方向、画面縦方向および画面斜め方向などにタッチ位置が移動すれば、表示制御部１５はタッチパネル部１１において画面切替操作が行われたと判断する。また、２点のタッチ位置の両方が移動された場合、２点のタッチ位置の移動方向が互いに異なる方向（２点の間隔を狭める方向や広げる方向）であっても、表示制御部１５は画面切替操作が行われたと判断する。
【００６２】
また、別の例として、図１０に示すように、表示制御部１５は、タッチパネル部１１の２点がタッチされて以降、１点がタッチされたままその１点のタッチ位置を移動させるタッチ操作を検知した場合に、タッチパネル部１１において画面切替操作が行われたと判断する。この場合、タッチパネル部１１の２点がタッチされて以降、１点のタッチは続いているが、別の１点のタッチは無くなっている。たとえば、図１０中の矢印方向に沿って１点のタッチ位置が移動したとき、表示制御部１５はタッチパネル部１１において画面切替操作が行われたと判断する。なお、図１０において、白抜きの矢印は、タッチ位置の移動方向を示す。
【００６３】
さらに、別の例として、図１１に示すように、表示制御部１５は、タッチパネル部１１の２点がタッチされて以降、１点がタッチされたまま別の位置においてパネル面を指で叩くようなタッチ操作（タップ操作）を検知した場合に、タッチパネル部１１において画面切替操作が行われたと判断する。なお、図１１において、白抜きの星印は、タップされているタッチ位置を示し、白抜きの丸印は、固定的にタッチされ続けられているタッチ位置を示す。あるいは、表示制御部１５は、タッチパネル部１１の２点がタッチされて以降、１点がタッチされたまま別の位置においてパネル面を指ではらうようなタッチ操作（フリック操作）を検知した場合にも、タッチパネル部１１において画面切替操作が行われたと判断する。
【００６４】
なお、図９〜図１１には、機能情報画像Ｆ１が所定表示位置Ｐに配され、その機能情報画像Ｆ１に対応するコピー機能の設定画面ＳＳＣが背景画面として表示されている状態を図示している。すなわち、タッチパネル部１１において画面切替操作の受け付けが可能になった時点（画面切替モードに移行した時点）の設定画面ＳＳはコピー機能の設定画面ＳＳＣである。
【００６５】
このような画面切替操作が行われたことを検知すると、表示制御部１５は、表示する設定画面ＳＳの切り替えを液晶表示部１２に行わせる。すなわち、液晶表示部１２は、設定画面ＳＳを表示している最中にタッチパネル部１１の２点がタッチされて以降、タッチされた２点のうち１点以上がタッチされたまま行われるタッチ操作である画面切替操作をタッチパネル部１１が受け付けたとき、メインメニュー画面ＭＳに遷移することなく、表示する設定画面ＳＳを現時点の設定画面ＳＳに対応する機能とは別の機能に対応する設定画面ＳＳに切り替える。
【００６６】
たとえば、図９に示した画面切替操作をタッチパネル部１１が受け付けた場合、液晶表示部１２は、図１２に示すように、タッチ位置を移動させるタッチ操作が停止するまで、所定表示位置Ｐを経由する楕円環状の軌跡に沿って複数の機能情報画像Ｆを循環移動させる。これにより、複数の機能情報画像Ｆが所定表示位置Ｐに順番に移動され、所定表示位置Ｐに配される機能情報画像Ｆが順次切り替わる。また、液晶表示部１２は、所定表示位置Ｐに存在する機能情報画像Ｆの表示サイズを他の機能情報画像Ｆの表示サイズよりも拡大し、所定表示位置Ｐに存在する機能情報画像Ｆに追加情報画像Ａを付加する。そして、液晶表示部１２は、所定表示位置Ｐに存在する機能情報画像Ｆに対応する設定画面ＳＳを背景画面として表示する。このように、液晶表示部１２は、メインメニュー画面ＭＳに遷移することなく、表示する設定画面ＳＳを切り替える。
【００６７】
また、図１０に示した画面切替操作をタッチパネル部１１が受け付けた場合にも、液晶表示部１２は、図１３に示すように、タッチ位置を移動させる操作が停止するまで、複数の機能情報画像Ｆを所定表示位置Ｐに順番に移動させ、所定表示位置Ｐに配する機能情報画像Ｆを順次切り替える。そして、液晶表示部１２は、所定表示位置Ｐに存在する機能情報画像Ｆに対応する設定画面ＳＳを背景画面として表示する。なお、その他の表示動作については、図９に示した画面切替操作をタッチパネル部１１が受け付けた場合と同様である。
【００６８】
また、図１１に示した画面切替操作をタッチパネル部１１が受け付けた場合、液晶表示部１２は、図１４に示すように、タップ操作（フリック操作）が１回行われる毎に、所定表示位置Ｐに配する機能情報画像Ｆを１回切り替える。そして、液晶表示部１２は、所定表示位置Ｐに存在する機能情報画像Ｆに対応する設定画面ＳＳを背景画面として表示する。なお、その他の表示動作については、図９に示した画面切替操作をタッチパネル部１１が受け付けた場合と同様である。
【００６９】
なお、図１２〜図１４には、機能情報画像Ｆ３が所定表示位置Ｐに配され、その機能情報画像Ｆ３に対応するファックス機能の設定画面ＳＳＦが背景画面として表示されている状態を図示している。
【００７０】
そして、ユーザーは、所望の機能に対応する設定画面ＳＳに切り替わっていることを確認し、タッチパネル部１１に対する画面切替操作を終える。すなわち、ユーザーは、タッチパネル部１１から全ての指を離す。
【００７１】
このとき、表示制御部１５は、タッチパネル部１１に対するタッチ操作が無くなったこと（画面切替操作が終了したこと）を検知し、画面切替モードを解除する。すなわち、液晶表示部１２は、画面切替情報画像ＳＣ（複数の機能情報画像Ｆ）を非表示とする。さらに、液晶表示部１２は、画面切替情報画像ＳＣの表示領域外の表示領域の明るさを暗くしていたが、その暗くしていた表示領域の明るさを元の明るさに戻す。そして、液晶表示部１２は、タッチパネル部１１に対するタッチ操作が無くなった時点で背景画面として表示していた設定画面ＳＳをそのまま表示する。
【００７２】
これにより、切り替え後の設定画面ＳＳに対応する機能の実行が可能な状態となる（画面切替モードが解除された状態となる）。たとえば、図１２〜図１４に示した状態でタッチパネル部１１に対するタッチ操作が無くなったとすると、液晶表示部１２は、ファックス機能の設定画面ＳＳＦ（図６参照）を表示する。なお、このとき、液晶表示部１２は、切り替え後の設定画面ＳＳにおいて従前に何らかの設定がユーザーによって行われていれば（たとえば、ファックス機能の設定画面ＳＳＦにおいて従前に送信先のアドレスが入力されていれば）、従前の設定内容をリセットせずに設定画面ＳＳを表示する。
【００７３】
（表示する設定画面を切り替えるときの流れ）
以下に、図１５に示すフローチャートに沿って、表示する設定画面ＳＳを切り替えるときの流れについて説明する。
【００７４】
まず、図１５のフローチャートのスタート時点では、ユーザーによって選択された機能に関する設定指示を受け付けるための設定画面ＳＳを液晶表示部１２が表示しているとする。そして、液晶表示部１２が設定画面ＳＳを表示している最中に、タッチパネル部１１の２点がユーザーによってタッチされたことを表示制御部１５が検知したとき、図１５のフローチャートがスタートする。
【００７５】
ステップＳ１において、表示制御部１５は、タッチパネル部１１の２点がタッチされたまま所定時間が経過したか否かを判断する。判断の結果、タッチパネル部１１の２点がタッチされたまま所定時間が経過していれば、ステップＳ２に移行し、タッチパネル部１１の２点がタッチされたまま所定時間が経過していなければ、ステップＳ１の判断を繰り返す（画面切替モードに移行せず、現時点の設定画面ＳＳをそのまま液晶表示部１２に表示させ続ける）。
【００７６】
ステップＳ２に移行すると、表示制御部１５は、画面切替モード（タッチパネル部１１において画面切替操作の受け付けが可能なモード）に移行する。すなわち、液晶表示部１２は、画面切替情報画像ＳＣ（複数の機能情報画像Ｆ）を現時点の設定画面ＳＳに重ねて表示する。このとき、液晶表示部１２は、現時点の設定画面ＳＳに対応する機能情報画像Ｆを所定表示位置Ｐに配するとともに、所定表示位置Ｐに存在する機能情報画像Ｆの表示サイズを他の機能情報画像Ｆの表示サイズよりも拡大し、所定表示位置Ｐに存在する機能情報画像Ｆに追加情報画像Ａを付加する。さらに、液晶表示部１２は、画面切替情報画像ＳＣ（複数の機能情報画像Ｆ）の表示領域外の表示領域の明るさを、画面切替情報画像ＳＣの表示領域の明るさよりも暗くする。
【００７７】
ステップＳ３において、表示制御部１５は、振動発生部１７を駆動させ、操作パネル１０１を振動させる。すなわち、振動発生部１７は、操作パネル１０１を振動させることによって、画面切替モードに移行したこと（画面切替操作の受け付けが可能になったこと）をユーザーに報知する。
【００７８】
ステップＳ４において、表示制御部１５は、タッチパネル部１１の出力に基づき、タッチパネル部１１の１点以上がタッチされたままであるか否か（タッチパネル部１１に対するタッチ操作が無くなっていないか否か）を判断する。判断の結果、タッチパネル部１１の１点以上がタッチされたままになっていれば、ステップＳ５に移行する。
【００７９】
ステップＳ５に移行すると、表示制御部１５は、タッチパネル部１１の出力に基づき、画面切替操作（タッチパネル部１１の２点がタッチされて以降にタッチされた２点のうち１点以上がタッチされたまま行われるタッチ操作）をタッチパネル部１１が受け付けたか否かを判断する。判断の結果、画面切替操作をタッチパネル部１１が受け付けていれば、ステップＳ６に移行する。
【００８０】
ステップＳ６に移行すると、表示制御部１５は、タッチパネル部１１の出力に基づき、表示する設定画面ＳＳの切り替えを液晶表示部１２に行わせる。すなわち、液晶表示部１２は、所定表示位置Ｐに存在する機能情報画像Ｆに対応する設定画面ＳＳを背景画面として表示する。この後、ステップＳ４に移行する。なお、ステップＳ５において、画面切替操作をタッチパネル部１１が受け付けていない場合にも、ステップＳ４に移行する。そして、ステップＳ４において、タッチパネル部１１の１点以上がタッチされたままになっていなければ（タッチパネル部１１に対するタッチ操作が無くなれば）、ステップＳ７に移行する。
【００８１】
ステップＳ４からステップＳ７に移行すると、表示制御部１５は、画面切替モードを解除する。すなわち、液晶表示部１２は、画面切替情報画像ＳＣ（複数の機能情報画像Ｆ）を非表示とする。また、液晶表示部１２は、画面切替情報画像ＳＣの表示領域外の表示領域の明るさを暗くしていたが、その暗くしていた表示領域の明るさを元の明るさに戻す。そして、液晶表示部１２は、タッチパネル部１１に対するタッチ操作が無くなった時点に背景画面として表示していた設定画面ＳＳをそのまま表示する。これにより、切り替え後の設定画面ＳＳに対応する機能の実行が可能な状態となる（画面切替モードが解除された状態となる）。
【００８２】
本実施形態では、上記のように、液晶表示部１２（表示部）は、設定画面ＳＳを表示している最中にタッチパネル部１１の２点がタッチされて以降、タッチされた２点のうち１点以上がタッチされたまま行われるタッチ操作である画面切替操作をタッチパネル部１１が受け付けたとき、メインメニュー画面ＭＳ（選択画面）に遷移することなく、表示する設定画面ＳＳを現時点の設定画面ＳＳに対応する機能とは別の機能に対応する設定画面ＳＳに切り替える。これにより、ユーザーからすると、表示する設定画面ＳＳを切り替えたい（現時点の設定画面ＳＳに対応する機能とは別の機能を実行したい）とき、表示画面を一々メインメニュー画面ＭＳに戻さなくてもよいので、煩わしさが軽減される。また、タッチパネル部１１の２点をタッチし、タッチした２点のうち１点以上をタッチしたままタッチ操作を行うだけで表示する設定画面ＳＳを切り替えることができるので、表示する設定画面ＳＳを切り替えるまでの操作数が少なく、ユーザーにかかる負担は小さい。なお、液晶表示部１２は、タッチパネル部１１の２点がタッチされて以降、タッチされた２点のうち１点以上がタッチされたままタッチ操作が行われなければ、表示する設定画面ＳＳを切り替えない。したがって、現時点の設定画面ＳＳのまま設定指示を行いたいユーザーは、タッチパネル部１１に対して通常のタッチ操作（たとえば、タッチパネル部１１の１点をタップする操作）を行えばよく、特別なタッチ操作を行う必要はない。これらの結果、ユーザーによる表示画面の切り替え操作時の利便性が向上する。
【００８３】
さらに、複数種の機能にそれぞれ対応する複数のハードキー（機能の選択指示を受け付けるための機能選択キー）を設ける必要がなくなるので、部品点数を削減することができる（コストダウンを図ることができる）。
【００８４】
また、本実施形態では、上記のように、タッチパネル部１１は、液晶表示部１２が設定画面ＳＳを表示している最中に２点がタッチされて以降、２点がタッチされたままで予め定められた所定時間が経過していれば、画面切替操作の受け付けを行う一方、２点がタッチされたままで所定時間が経過していなければ、画面切替操作の受け付けを行わない。これにより、ユーザーからすると、タッチパネル部１１に対して簡単なタッチ操作（タッチパネル部の２点をタッチし続ける操作）を行うだけで、表示する設定画面ＳＳの切り替えが可能な状態になるので、利便性が良い。また、ユーザーからすると、タッチパネル部１１の２点を誤ってタッチしてしまったとしても、直ぐに（所定時間が経過する前に）タッチパネル部１１から指を離せば、表示する設定画面ＳＳが意図せず切り替わってしまうことがないので、利便性が良い。さらに、タッチパネル部１１の２点がタッチされて以降、直ぐに（所定時間が経過する前に）タッチパネル部１１に対するタッチ操作が無くなったことをトリガーとする別の処理（画面切替処理とは異なる処理）との差別化を容易に図ることができる。
【００８５】
また、本実施形態では、上記のように、液晶表示部１２は、タッチパネル部１１において画面切替操作の受け付けが可能になって以降、タッチパネル部１１に対するタッチ操作が無くなれば、タッチパネル部１１に対するタッチ操作が無くなった時点に表示していた設定画面ＳＳをそのまま表示する。これにより、ユーザーからすると、表示する設定画面ＳＳを確定したいとき、タッチパネル部１１から全ての指を離すだけでよいので、利便性が良い。
【００８６】
また、本実施形態では、上記のように、液晶表示部１２は、タッチパネル部１１において画面切替操作の受け付けが可能になったとき、ユーザーによる画面切替操作を補助するための画面切替情報画像ＳＣ（画面切替情報）を設定画面ＳＳと共に表示する。これにより、容易に、ユーザーの利便性を向上させることができる。また、このような画面切替情報画像ＳＣを液晶表示部１２が表示するようになっていると、画面切替操作の受け付けが可能になったことをユーザーに認識させることもできる。
【００８７】
この場合、液晶表示部１２は、複数種の機能をそれぞれ示す複数の機能情報画像Ｆ（機能情報）を画面切替情報画像ＳＣとして表示し、画面切替操作をタッチパネル部１１が受け付けたとき、複数の機能情報画像Ｆを予め定められた所定表示位置Ｐに順番に移動させることにより、所定表示位置Ｐに配される機能情報画像Ｆを順次切り替え、所定表示位置Ｐに存在する機能情報画像Ｆに対応する設定画面ＳＳを表示してもよい。また、画面切替操作をタッチパネル部１１が受け付けたとき、複数の機能情報画像Ｆの表示サイズを順番に拡大することにより、表示サイズが拡大される機能情報画像Ｆを順次切り替え、表示サイズが拡大された機能情報画像Ｆに対応する設定画面ＳＳを表示してもよい。さらに、画面切替操作をタッチパネル部１１が受け付けたとき、複数の機能情報画像Ｆに予め定められた追加情報画像Ａを順番に付加することにより、追加情報画像Ａが付加される機能情報画像Ｆを順次切り替え、追加情報画像Ａが付加された機能情報画像Ｆに対応する設定画面ＳＳを表示してもよい。このような画面切替情報画像ＳＣ（複数の機能情報Ｆ）が表示されていると、ユーザーによる設定画面ＳＳの切り替え操作の利便性が向上する。
【００８８】
なお、所定表示位置Ｐに配される機能情報画像Ｆを順次切り替える、表示サイズが拡大される機能情報画像Ｆを順次切り替える、および、追加情報画像Ａが付加される機能情報画像Ｆを順次切り替える、という３つの表示制御の全てを行う必要はなく、いずれか１つまたは２つの表示制御を選択的に行うようにしてもよい。
【００８９】
また、本実施形態では、上記のように、液晶表示部１２は、画面切替情報画像ＳＣを表示するとき、画面切替情報画像ＳＣの表示領域外の表示領域の明るさを、画面切替情報画像ＳＣの表示領域の明るさよりも暗くする。これにより、画面切替情報画像ＳＣが見易くなる。また、画面切替操作の受け付けが可能になったことをユーザーに認識させることもできる。
【００９０】
また、本実施形態では、上記のように、タッチパネル部１１において画面切替操作の受け付けが可能になったときに、画面切替操作の受け付けが可能になった旨を報知する振動発生部１７（報知部）を備える。これにより、確実に、タッチパネル部１１において画面切替操作の受け付けが可能になったことをユーザーに認識させることができる。なお、この振動発生部１７は、操作パネル１０１を振動させることで、画面切替操作の受け付けが可能になった旨を報知する。したがって、画面切替操作の受け付けが可能になったことをユーザーが認識し易い。
【００９１】
また、本実施形態では、上記のように、液晶表示部１２は、タッチパネル部１１が受け付けた画面切替操作に基づき表示する設定画面ＳＳを切り替えるとき、従前の設定内容をリセットせずに設定画面ＳＳを表示する。これにより、ユーザーからすると、従前に設定した設定内容と同じ設定内容で機能を実行したいとき、一から設定し直さなくてもよいので、利便性が良い。
【００９２】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００９３】
１１  タッチパネル部
１２  液晶表示部（表示部）
１７  振動発生部（報知部）
１００  画像形成装置
１０１  操作パネル（表示入力装置）
Ａ  追加情報画像（追加情報）
Ｆ、Ｆ１、Ｆ２、Ｆ３、Ｆ４、Ｆ５、Ｆ６、Ｆ７  機能情報画像（機能情報）
ＭＰ  メインメニュー画面（選択画面）
Ｐ  所定表示位置
ＳＣ  画面切替情報画像（画面切替情報）
ＳＳ、ＳＳＣ  ＳＳＦ  設定画面
【図１】
0005857142.tif 000002
【図２】
0005857142.tif 000003
【図３】
0005857142.tif 000004
【図４】
0005857142.tif 000005
【図５】
0005857142.tif 000006
【図６】
0005857142.tif 000007
【図７】
0005857142.tif 000008
【図１５】
0005857142.tif 000009
【図８】
0005857142.tif 000010
【図９】
0005857142.tif 000011
【図１０】
0005857142.tif 000012
【図１１】
0005857142.tif 000013
【図１２】
0005857142.tif 000014
【図１３】
0005857142.tif 000015
【図１４】
0005857142.tif 000016